(57)【要約】【課題】  固形可燃物の燃焼により該固形可燃物の側面に突き刺された叩打体が被叩打面上に落下して叩打音を発生させる音源付き灯火照明体用のカバーであって、該叩打体が使用者の意図することなく落下してしまうことを防止することができ、該叩打体の形状又は重量が制限されないようにして、かつ、使用者が簡便に一定の間隔をもって該叩打体を該固形可燃物に突き刺すことができる音源付き灯火照明体用のカバーを提供する。【解決手段】  音源付き灯火照明体用のカバー１は、網部材によって固形可燃物２の側面を覆うように形成されており、網部材が叩打体３を差し入れることができる形状及び大きさからなる網目１ａを有しており、かつ、網目１ａが一定の形状及び大きさの連続する網目となっている。【選択図】      図３
0003168435.tif 000002
【実用新案登録請求の範囲】
【請求項１】
固形可燃物の燃焼により該固形可燃物の側面に突き刺された叩打体が被叩打面上に落下して叩打音を発生させる音源付き灯火照明体用のカバーであって、網部材によって該固形可燃物の側面を覆うように形成されており、該網部材が該叩打体を差し入れることができる形状及び大きさからなる網目を有することを特徴とする音源付き灯火照明体用のカバー。
【請求項２】
請求項１に記載した音源付き灯火照明体用のカバーであって、前記網目が一定の形状及び大きさの連続する網目であることを特徴とする音源付き灯火照明体用のカバー。
【考案の詳細な説明】
【技術分野】
【０００１】
本考案は、灯火照明体用のカバーに関し、固形可燃物の燃焼により該固形可燃物の側面に突き刺された叩打体が被叩打面上に落下して叩打音を発生させる音源付き灯火照明体用のカバーに関する。
【背景技術】
【０００２】
従来、ろうそく又は線香等の先端部から燃焼してゆく固形可燃物の燃焼により該固形可燃物の側面に突き刺された釘又はピン等の叩打体が被叩打面上に落下して叩打音を発生させる音源付き灯火照明体としては、例えば、該固形可燃物の側面に一定の間隔をもって突き刺された該叩打体が、該固形可燃物の燃焼に伴って落下し、該固形可燃物が立設された台座の上面を叩打することにより、叩打音を発生させて時刻を知らせることができる音源付き火時計等が提案されているところである（例えば、特許文献１参照。）。
【０００３】
また、灯火照明体用のカバーとしては、例えば、金網等の耐火性を有する網状の部材を筒状に形成した灯火照明体用のカバーが多数提案されているところである（例えば、特許文献２、３、４、５参照。）。もっとも、上記のいずれの従来技術に係る灯火照明体用のカバーも、燃焼する固形可燃物の転倒等による火災の発生の防止、及び燃焼する固形可燃物の風等による使用者の意図しない消火の防止を目的とするものであって、特に音源付き灯火照明体用の好適なカバーを提供しようとするものではない。
【先行技術文献】
【特許文献】
【０００４】
【特許文献１】登実３１４５６４８号公報
【特許文献２】特開２０００−３６２１７号公報
【特許文献３】特開平１１−１７６２０２号公報
【特許文献４】実開平７−２１９３３号公報
【特許文献５】実開平７−２１９３４号公報
【考案の概要】
【考案が解決しようとする課題】
【０００５】
しかしながら、上記の従来技術に係る音源付き灯火照明体は、該叩打体が該固形可燃物の側面に突き刺された一箇所でのみ支持されて空中に保持されていることから安定性に欠けることがあるために、該叩打体が使用者の意図することなく落下してしまう場合があるという問題があった。そこで、本考案の解決しようとする第一の課題は、固形可燃物の燃焼により該固形可燃物の側面に突き刺された叩打体が被叩打面上に落下して叩打音を発生させる音源付き灯火照明体用のカバーにつき、該叩打体を支持して安定させることにより、該叩打体が使用者の意図することなく落下してしまうことを防止することができる音源付き灯火照明体用のカバーを提供することにある。
【０００６】
また、該叩打体が被叩打面に落下した際に発生する叩打音は、該叩打体の形状及び重量によって変化することから、様々な形状又は重量から形成される叩打体を用いることにより、使用者は様々な音色の叩打音を楽しむことができるところである。しかしながら、上記の従来技術に係る音源付き灯火照明体は、上記の通り、該叩打体が該固形可燃物の側面に突き刺された一箇所でのみ支えられて空中に保持されていることから、自ら該叩打体の形状又は重量が制限されてしまうため、使用者は様々な音色の叩打音を楽しむことができないという問題があった。そこで、本考案の解決しようとする第二の課題は、固形可燃物の燃焼により該固形可燃物の側面に突き刺された叩打体が被叩打面上に落下して叩打音を発生させる音源付き灯火照明体用のカバーにつき、該叩打体を支持して安定させることにより、該叩打体の形状又は重量が制限されないようにして、使用者が様々な音色の叩打音を楽しむことができる音源付き灯火照明体用のカバーを提供することにある。
【０００７】
そして、上記の従来技術に係る音源付き灯火照明体を火時計として構成することもできるところではあるが、火時計として構成する場合には一定の間隔をもって該叩打体を該固形可燃物に突き刺す必要があるところ、使用者が一定の間隔を計測しながら該叩打体を該固形可燃物に突き刺すことが必要であり、あるいは該固形可燃物に予め一定の間隔をもって目盛を付けておいて使用者が該目盛に合わせて該叩打体を突き刺していくことが必要であるために、使用者は該音源付き灯火照明体を火時計として用いるに当たっては煩雑な作業を行わなければならないという問題があった。そこで、本考案の解決しようとする第三の課題は、固形可燃物の燃焼により該固形可燃物の側面に突き刺された叩打体が被叩打面上に落下して叩打音を発生させる音源付き灯火照明体用のカバーにつき、使用者が簡便に一定の間隔をもって該叩打体を該固形可燃物に突き刺すことができるようにして、使用者が該音源付き灯火照明体を火時計として用いるに当たって煩雑な作業を行う必要がない音源付き灯火照明体用のカバーを提供することにある。
【課題を解決するための手段】
【０００８】
本考案の第一及び第二の課題を解決するため、請求項１に係る音源付き灯火照明体用のカバーは、固形可燃物の燃焼により該固形可燃物の側面に突き刺された叩打体が被叩打面上に落下して叩打音を発生させる音源付き灯火照明体用のカバーであって、網部材によって該固形可燃物の側面を覆うように形成されており、該網部材が該叩打体を差し入れることができる形状及び大きさからなる網目を有することを特徴とする音源付き灯火照明体用のカバーである。
【０００９】
本考案の第三の課題を解決するため、請求項２に係る音源付き灯火照明体用のカバーは、請求項１に記載した音源付き灯火照明体用のカバーであって、前記網目が一定の形状及び大きさの連続する網目であることを特徴とする音源付き灯火照明体用のカバーである。
【考案の効果】
【００１０】
本考案に係る音源付き灯火照明体用のカバーは、上記の通りの構成であるから、以下のような効果を奏することができる。
【００１１】
まず、請求項１に記載した音源付き灯火照明体用のカバーは、網部材によって該固形可燃物の側面を覆うように形成されており、該網部材が該叩打体を差し入れることができる形状及び大きさからなる網目を有することから、使用者が該叩打体を該網目に差し入れて該固形可燃物の側面に突き刺すと、該叩打体が該固形可燃物の側面に突き刺された箇所と該網部材とによって支持されて空中に保持されていることから、該叩打体の安定性が増し、該叩打体が使用者の意図することなく落下してしまうことがなくなる。従って、請求項１に記載した音源付き灯火照明体用のカバーは、固形可燃物の燃焼により該固形可燃物の側面に突き刺された叩打体が被叩打面上に落下して叩打音を発生させる音源付き灯火照明体用のカバーにつき、該叩打体を支持して安定させることにより、該叩打体が使用者の意図することなく落下してしまうことを防止することができる音源付き灯火照明体用のカバーを提供するという本考案が解決しようとする第一の課題を解決することができるのである。
【００１２】
また、請求項１に記載した音源付き灯火照明体用のカバーは、網部材によって該固形可燃物の側面を覆うように形成されており、該網部材が該叩打体を差し入れることができる形状及び大きさからなる網目を有することから、使用者が該叩打体を該網目に差し入れて該固形可燃物の側面に突き刺すと、該叩打体が該固形可燃物の側面に突き刺された箇所と該網部材とによって支持されて空中に保持されていることから、使用者が様々な形状又は重量から形成される叩打体を用いても、該叩打体が使用者の意図することなく落下してしまうことがないため、使用者は様々な音色の叩打音を楽しむことができるのである。従って、請求項１に記載した音源付き灯火照明体用のカバーは、固形可燃物の燃焼により該固形可燃物の側面に突き刺された叩打体が被叩打面上に落下して叩打音を発生させる音源付き灯火照明体用のカバーにつき、該叩打体を支持して安定させることにより、該叩打体の形状又は重量が制限されないようにして、使用者が様々な音色の叩打音を楽しむことができる音源付き灯火照明体用のカバーを提供するという本考案が解決しようとする第二の課題も解決することができるのである。
【００１３】
そして、請求項２に記載した音源付き灯火照明体用のカバーは、前記網目が一定の形状及び大きさの連続する網目であることから、使用者は該網目を目印として簡便に一定の間隔をもって該叩打体を該固形可燃物に突き刺していくことができるため、使用者は該音源付き灯火照明体を火時計として用いるに当たって煩雑な作業を行う必要が無くなる。従って、請求項２に記載した音源付き灯火照明体用のカバーは、固形可燃物の燃焼により該固形可燃物の側面に突き刺された叩打体が被叩打面上に落下して叩打音を発生させる音源付き灯火照明体用のカバーにつき、使用者が簡便に一定の間隔をもって該叩打体を該固形可燃物に突き刺すことができるようにして、使用者が該音源付き灯火照明体を火時計として用いるに当たって煩雑な作業を行う必要がない音源付き灯火照明体用のカバーを提供するという本考案が解決しようとする第三の課題も解決することができるのである。
【００１４】
尚、本考案に係る音源付き灯火照明体用のカバーは、網部材によって該固形可燃物の側面を覆うように形成されていることから、使用者が燃焼する固形可燃物に誤って触れてしまうことにより火傷を負うことを防止することができるとともに、該固形可燃物が転倒すること等による火災の発生を防止することができ、また、風をある程度遮ることもできるため使用者の意図しない消火を防止することができる風防としての効果も存するところである。
【図面の簡単な説明】
【００１５】
【図１】本考案の一実施形態に係る音源付き灯火照明体用のカバーを示した正面図である。
【図２】本考案の一実施形態に係る音源付き灯火照明体用のカバーを分解した状態を示した斜視図である。
【図３】本考案の一実施形態に係る音源付き灯火照明体用のカバーを使用する状態を示した参考図である。
【考案を実施するための形態】
【００１６】
本考案の一実施形態に係る音源付き灯火照明体用カバー１を形成する網部材としては、内部に収容する固形可燃物２が燃焼しても容易に破損しない程度の耐熱性を有する網部材を用いることが好適であり、例えば、各種の公知の金網又はパンチングメタル等を用いることができる。網目１ａの形状及び大きさは、叩打体３を差し入れることができる程度の形状及び大きさであれば、特に限定されるものではない。
【００１７】
尚、音源付き灯火照明体を火時計として用いるに当たっては、網目１ａを一定の形状及び大きさの連続する網目とすると、使用者は網目１ａを目印として簡便に一定の間隔をもって叩打体３を固形可燃物２に突き刺していくことができ、好適である。更に、固形可燃物２の燃焼速度に応じた経過時間を示す目印を音源付き灯火照明体用カバー１に付けておくと、音源付き灯火照明体を火時計として用いるに当たって、一層好適である。
【００１８】
図１から３に図示するように、音源付き灯火照明体用カバー１は、筒状に形成されており、その内部に固形可燃物２を収容することができるようになっている。また、音源付き灯火照明体用カバー１は、上方から下方に向かって広がるように形成されており、立設した際に安定するように形成されている。
【００１９】
音源付き灯火照明体用カバー１は、一体のものとして形成することももちろん可能であるが、図２に図示するように、縦方向に二つに分割することができるように形成すると、使用者が固形可燃物２を内部に収容し易くなり、好適である。音源付き灯火照明体用カバー１を上記のように構成する場合には、内部に収容した固形可燃物２が燃焼している際等に使用者の意図することなく開いてしまうと、使用者が火傷を負ったりあるいは火災を引き起こしたりする可能性がある。そこで、音源付き灯火照明体用カバー１には、図１から３に図示するように、リング状の係止リング４を付属しておいて、使用者が音源付き灯火照明体用のカバー１に係止リング４を嵌めることにより使用者の意図することなく開かないようにすることが好適である。
【００２０】
また、図２に図示するように、音源付き灯火照明体用カバー１は、内部に収容する固形可燃物２を安定的に立設することができるように、固形可燃物２を支持するための支持具１ｂを内部に取り付けておくことが好適である。支持具１ｂは、音源付き灯火照明体用カバー１の内部に収容する固形可燃物２の形状に合わせて、様々な形状のものが考えられるところであるが、例えば、固形可燃物２の形状が円柱状のものである場合には、平面視弓形状の部材を用いることができる。
【００２１】
更に、図１から３に図示するように、音源付き灯火照明体用カバー１の下部には留め具挿入孔１ｃが穿設されており、台座５の上面に設けられた鉤形状の留め具５ａに嵌め入れて台座５に取り付けることにより、音源付き灯火照明体用カバー１を台座５に更に安定的に立設することができる。
【００２２】
使用者は、図３に図示するように、固形可燃物２を台座５に立設した上で、音源付き灯火照明体用カバー１を台座５に取り付けて、係止リング４を音源付き灯火照明体用カバー１に嵌め込む。使用者は、台座５の上面に形成されている被叩打面５ｂの上空に位置するように、所望の叩打体３を所望の網目１ａに差し入れて固形可燃物２の側面に突き刺し、固形可燃物２の先端部に着火する。
【００２３】
固形可燃物２は、例えば、ろうそく、線香等の先端部から燃焼してゆく柱状の固形可燃物である。図では固形可燃物２の形状は円柱状であるが、柱状であれば角柱状等その他の形状からなる固形可燃物を用いることもできる。尚、固形可燃物２は、顔料を練り込めたろうそく等を用いると、使用者がその色彩を楽しむことができ、また、香料を練り込めたろうそくや蜜蝋を原材料としたろうそくあるいは線香等を使用すると、使用者がその芳香を楽しむことができ、好適である。
【００２４】
叩打体３は、図３に図示するように、楔状の部材であり、少なくともその一端が鋭利であれば、固形可燃物２に突き刺すのが容易となり、好適である。叩打体３には、例えば、市販の金属製の釘、針等を用いることができる。図３では、同一の形状及び大きさからなる叩打体３を用いているが、それぞれに形状又は大きさが異なる叩打体３を用いることにより、使用者は様々な音色からなる叩打音を楽しむこともできる。
【００２５】
固形可燃物２が燃焼することにより、固形可燃物２の側面に突き刺されていた叩打体３が被叩打面５ｂに落下して叩打音を生ずることにより、使用者はその音色を楽しむことができるのである。
【符号の説明】
【００２６】
１  音源付き灯火照明体用カバー
１ａ  網目
１ｂ  支持具
１ｃ  留め具挿入孔
２  固形可燃物
３  叩打体
４  係止リング
５  台座
５ａ  留め具
５ｂ  被叩打面
【図１】
0003168435.tif 000003
【図２】
0003168435.tif 000004
【図３】
0003168435.tif 000005